(57)【要約】【課題】自動運転交通システムにおいて、移動体を利用するユーザ間のすれ違いを通して、情報交換手段や車内でのコミュニケーションの場を提供する。【解決手段】自動走行可能な移動体と、移動体の運行を管理する移動体管理サーバを含む交通システムにおいて、移動体管理サーバは、ユーザ間の関連ユーザ情報を含むユーザ情報を収集し、移動体の位置情報、移動体が決定した移動経路情報を各移動体から取得して収集する。また、関連ユーザ情報に登録されたユーザどうしが乗車する移動体が接近する可能性を移動体管理サーバが予め決定した移動予定経路、又は前記移動体が決定した移動経路情報に基づいて予め判定する、すれ違い判定手段を備え、すれ違い判定手段が移動体が接近する可能性があると判定した場合に、乗車中のユーザの少なくとも一方に、すれ違い通知を送信する。また、上記のすれ違い通知は、ユーザ間の関係に応じて適切な通知が選択される。【選択図】図３
2015179332.tif 000002
【特許請求の範囲】
【請求項１】
自動走行可能な移動体と、前記移動体の運行を管理する移動体管理サーバを含む交通システムにおいて、乗客であるユーザ間の情報交換を支援する移動体間情報交換システムであって、
前記移動体管理サーバは、
ユーザ間の関連ユーザ情報を含むユーザ情報を収集するユーザ情報収集手段と、
前記移動体の位置情報、前記移動体が決定した移動経路情報を含む移動体情報を各移動体から取得して収集する移動体情報収集手段と、
前記関連ユーザ情報に登録されたユーザどうしが乗車する移動体が接近する可能性を、前記移動体管理サーバが予め決定した移動予定経路、又は前記移動体が決定した移動経路情報に基づいて判定する、すれ違い判定手段と、
前記すれ違い判定手段が移動体が接近する可能性があると判定した場合に、前記ユーザの少なくとも一方に、すれ違い通知を送信するすれ違い通知送信手段と、
を備えることを特徴とする移動体間情報交換システム。
【請求項２】
前記すれ違い通知送信手段は、前記関連ユーザ情報のユーザ間の関係に応じたたすれ違い通知を生成し、前記ユーザに送信することを特徴とする請求項１に記載の移動体間情報交換システム。
【請求項３】
前記すれ違い判定手段は、前記ユーザ間の接近の可能性を、前記ユーザの移動体経路を調整することによっても起こる、と判定することを特徴とする請求項１又は２に記載の移動体間情報交換システム。
【請求項４】
前記移動体と前記ユーザの端末は、近距離無線通信手段により交信し、前記すれ違い通知を、前記移動体又は前記ユーザの端末のどちらか一方又は両方に表示可能とすることを特徴とする請求項１乃至３のいずれか一項に記載の移動体間情報交換システム。
【請求項５】
前記移動体は、前記ユーザが乗降した際に、前記ユーザの識別を行うユーザ識別手段を備えることを特徴とする請求項１乃至４のいずれか一項に記載の移動体間情報交換システム。
【請求項６】
自動走行可能な移動体と、前記移動体の運行を管理する移動体管理サーバを含む交通システムにおいて、乗客であるユーザ間の情報交換を支援する移動体間情報交換の制御方法であって、
前記移動体管理サーバにおいて、
ユーザ間の関連ユーザ情報を含むユーザ情報を収集するステップと、
前記移動体の位置情報、前記移動体が決定した移動経路情報を含む移動体情報を各移動体から取得して収集するステップと、
前記関連ユーザ情報に登録されたユーザどうしが乗車する移動体が接近する可能性を、前記移動体管理サーバが予め決定した移動予定経路又は前記移動体が決定した移動経路情報に基づいて判定するステップと、
前記判定するステップにおいて、移動体が接近する可能性があると判定した場合に、前記ユーザの少なくとも一方に、すれ違い通知を送信するステップと、
を含むことを特徴とする移動体間情報交換の制御方法。
【請求項７】
自動走行可能な移動体と、前記移動体の運行を管理するコンピュータにおいて、乗客であるユーザ間の情報交換を支援する移動体間情報交換のための制御プログラムであって、
前記コンピュータを、
ユーザ間の関連ユーザ情報を含むユーザ情報を収集するステップと、
前記移動体の位置情報、前記移動体が決定した移動経路情報を含む移動体情報を各移動体から取得して収集するステップと、
前記関連ユーザ情報に登録されたユーザどうしが乗車する移動体が接近する可能性を、前記コンピュータが予め決定した移動予定経路、又は前記移動体が決定した移動経路情報に基づいて判定するステップと、
前記判定するステップにおいて、移動体が接近する可能性があると判定した場合に、前記ユーザの少なくとも一方に、すれ違い通知を送信するステップと、
を実行させることを特徴とするコンピュータ・プログラム。
【発明の詳細な説明】
【技術分野】
【０００１】
本発明は、移動体間情報交換システムに関し、特に、自動走行可能な移動体を含む交通システムにおける移動体間情報交換システム、その制御方法及び制御プログラムに関する。
【背景技術】
【０００２】
従来から、車両をはじめとする移動体に対して情報配信することや無線通信手段によって移動体間で情報を交換し活用するシステムが提案されている。例えば、特許文献１には、自車の周囲を走行している車両から撮像した自車の動画を近距離通信手段により自動的に収集して積極的に活用する走行動画提供装置が開示されている。
【０００３】
また、特許文献２には、情報制御センタは、自車両の運転者と携帯情報端末装置を所持する閲覧者の趣向を含む趣向情報及び運転者と閲覧者との間の間柄を表す間柄情報を登録している。そして、自車両の周囲に閲覧者が存在していると、情報管理センタは、閲覧者の端末装置から自車両を介して取得した運転者に関する情報及び閲覧者に関する情報に基づき、運転者及び閲覧者の間柄と趣向に応じた情報を自車両に送信し、送信された情報を閲覧者に配信する車両情報配信システムが開示されている。
【先行技術文献】
【特許文献】
【０００４】
【特許文献１】特開２０１０−６２８３５号公報
【特許文献２】特開２０１３−８９０９７号公報
【発明の概要】
【発明が解決しようとする課題】
【０００５】
しかしながら、上記の特許文献１，２のシステムは、自車両に対して他車両が取得した情報を収集するものであったり、自車両の運転者と周囲の閲覧者との間柄に応じた情報を配信するものであったりするが、自車両と他車両の乗客の間で情報を直接交換するものではなかった。例えば、接近する他の車両に友人等が乗っていることが事前に分かれば、お互いの車両が接近し、すれ違ったとき等に、その友人と直接交信手段を車両側から提供できれば、車両の利用者の情報交換の場が増えることになる。また、例えば、情報交換の結果、同じ目的地であることが分かれば一緒に移動したり、場合によっては相乗りしたりすることができる。また、目的地が異なっていても、お互いの目的地での用事を済ませた後に近隣で待ち合わせたりすること等もできる。また、普段はあまり話したことがない相手とたまたますれ違ったような場合にちょっとした会話をしたり、そのことがきっかけで親しくなったりするようなことも考えられる。
【０００６】
ところで、発明者らは、後述するような地域密着型の次世代の交通システムを既に提案している。この交通システムは、電気を駆動源とする自動走行可能な移動体を中心として、地域の情報を収集し、ユーザに情報を発信することにより、様々なサービスを提供し、人々の外出を促し、ひいては地域の活性化を目的とするものである。特に、このような地域密着型の自動走行交通システムにおいては、地域と地域住民であるユーザとの間のコミュニケーションを高めることはもちろん、移動体を利用しているユーザ間のコミュニケーションを高めることも重要である。すなわち、移動体は、単に人や荷物を運ぶだけの手段だけでなく、コミュニケーション手段としての役割も持つことが重要である。
【０００７】
したがって、本発明では、上記のような課題に鑑み、特に自動走行交通システムにおいて、移動体を利用するユーザ間のすれ違いを通して、情報交換や車内でのコミュニケーションの場を提供することを目的とする。
【課題を解決するための手段】
【０００８】
上記課題を解決するため、本発明の移動体間情報交換システムは、以下のような解決手段を提供する。
【０００９】
本発明の第１の態様は、自動走行可能な移動体と、前記移動体の運行を管理する移動体管理サーバを含む交通システムにおいて、乗客であるユーザ間の情報交換を支援する移動体間情報交換システムであって、前記移動体管理サーバは、ユーザ間の関連ユーザ情報を含むユーザ情報を収集するユーザ情報収集手段と、前記移動体の位置情報、前記移動体が決定した移動経路情報を含む移動体情報を各移動体から取得して収集する移動体情報収集手段と、前記関連ユーザ情報に登録されたユーザどうしが乗車する移動体が接近する可能性を、前記移動体管理サーバが予め決定した移動予定経路、又は前記移動体が決定した移動経路情報に基づいて判定する、すれ違い判定手段と、前記すれ違い判定手段が移動体が接近する可能性があると判定した場合に、前記ユーザの少なくとも一方に、すれ違い通知を送信するすれ違い通知送信手段と、を備えることを特徴とする。
【００１０】
また、上記のシステムにおいて、前記すれ違い通知送信手段は、前記関連ユーザ情報のユーザ間の関係に応じたすれ違い通知を生成し、前記ユーザに送信するように構成してもよい。
【００１１】
また、上記のシステムにおいて、前記すれ違い判定手段は、前記ユーザ間の接近の可能性を、前記ユーザの移動体経路を調整することによっても起こる、と判定するように構成してもよい。
【００１２】
また、上記のシステムにおいて、前記移動体と前記ユーザの端末は、近距離無線通信手段により交信し、前記すれ違い通知を、前記移動体又は前記ユーザの端末のどちらか一方又は両方に表示可能とするように構成してもよい。
【００１３】
また、上記のシステムにおいて、前記移動体は、前記ユーザが乗降した際に、前記ユーザの識別を行うユーザ識別手段を備えるように構成してもよい。
【００１４】
本発明の第２の態様は、自動走行可能な移動体と、前記移動体の運行を管理する移動体管理サーバを含む交通システムにおいて、乗客であるユーザ間の情報交換を支援する移動体間情報交換の制御方法であって、前記移動体管理サーバにおいて、ユーザ間の関連ユーザ情報を含むユーザ情報を収集するステップと、前記移動体の位置情報、前記移動体が決定した移動経路情報を含む移動体情報を各移動体から取得して収集するステップと、前記関連ユーザ情報に登録されたユーザどうしが乗車する移動体が接近する可能性を、前記移動体管理サーバが予め決定した移動予定経路、又は前記移動体が決定した移動経路情報に基づいて判定するステップと、前記判定するステップにおいて、移動体が接近する可能性があると判定した場合に、前記ユーザの少なくとも一方に、すれ違い通知を送信するステップと、を含むことを特徴とする。
【００１５】
本発明の第３の態様は、自動走行可能な移動体と、前記移動体の運行を管理するコンピュータにおいて、乗客であるユーザ間の情報交換を支援する移動体間情報交換のための制御プログラムであって、前記コンピュータを、ユーザ間の関連ユーザ情報を含むユーザ情報を収集するステップと、前記移動体の位置情報、前記移動体が決定した移動経路情報を含む移動体情報を各移動体から取得して収集するステップと、前記関連ユーザ情報に登録されたユーザどうしが乗車する移動体が接近する可能性を、前記コンピュータが予め決定した移動予定経路、又は前記移動体が決定した移動経路情報に基づいて判定するステップと、前記判定するステップにおいて、移動体が接近する可能性があると判定した場合に、前記ユーザの少なくとも一方に、すれ違い通知を送信するステップと、を実行させることを特徴とする。
【発明の効果】
【００１６】
本発明によれば、特に自動運転交通システムにおいて、移動体を利用するユーザ間のすれ違いを通して、情報交換や車内でのコミュニケーションの場を提供することができる。
【図面の簡単な説明】
【００１７】
【図１】本発明が前提とする交通システムの概念を示す図である。
【図２】本発明が前提とする交通システムの全体概要を示す図である。
【図３】本発明の実施形態に係る移動体間情報交換システムが提供するサービスのイメージを示す図である。
【図４】本発明の実施形態に係る移動体間情報交換システムの機能ブロックを示す図である。
【図５】移動体のすれ違いのイメージを示す図である。
【図６】本発明の実施形態に係るユーザＤＢのデータ構造の具体例を示す図である。
【図７】本発明の実施形態に係る移動体ＤＢのデータ構造の具体例を示す図である。
【図８】移動体の外観の一例を示す図である。
【図９】移動体管理サーバが行う移動体経路調整処理の全体フローを示す図である。
【図１０】すれ違い通知画面の具体例１を示す図である。
【図１１】すれ違い通知画面の具体例２を示す図である。
【図１２】すれ違い通知画面の具体例３を示す図である。
【発明を実施するための形態】
【００１８】
以下、添付図面を参照して、本発明を実施するための形態（以下、実施形態）について詳細に説明する。以降の図においては、実施形態の説明の全体を通して同じ要素には同じ番号または符号を付している。また、機能構成の図においては、機能ブロック間の矢印は、データの流れ方向、又は処理の流れ方向を表している。また、処理フロー図（フローチャート）においては、各ステップの入力と出力の関係を損なわない限り、各ステップの処理順序を入れ替えてもよいものとする。
【００１９】
（交通システム１の概念／全体概要）
図１、図２は、本発明が前提とする交通システム１の概念若しくは全体概要を説明する図である。交通システム１は、電気を主な駆動源とし、自動走行が可能な移動体を中心とし、地域における交通の利便性を向上し、当該地域における住民や地域のサービサ（サービス提供者、例えば、宅配業者、移動店舗、公共交通機関、役所、病院、地域企業、スーパやコンビニ等の小売店等）における人や物の移動需要を喚起し、当該地域を活性化することを目的とするものである。
【００２０】
交通システム１は、交通システム１の中心となる中央管理システム１００と、ネットワークを介して接続された様々なサービサにより提供されるサービサシステム２０（図ではビルのイラストで表す）と、地域住民であり交通システム１のユーザにより操作されるユーザ端末３０（図では家のイラストで表す）と、移動体の運行を管理するサーバ１０の指示に基づき自動走行する移動体４０と、で構成される。中央管理システム１００は、さらにサブシステムとして、サーバ又は装置で構成され、以下、本実施形態で説明する移動体管理サーバ１０は、そのサブシステムを構成するサーバの一つである。
【００２１】
移動体管理サーバ１０（以下、単にサーバ１０という）は、サービサシステム２０から各種のサービサ情報を受信し、また、ユーザ端末３０から各種のユーザ情報を受信する。サーバ１０は、サービサ情報及びユーザ情報を収集し、これらの情報をマッチングし、例えば、ユーザの外出を促す外出スケジュール情報を所定のユーザ端末３０に提供し、逆に所定のユーザ情報を所定のサービサシステム２０に提供する。そして、サーバ１０は、サービサシステム２０やそのユーザ端末３０から受信した移動体４０の配車依頼情報に基づき、移動体４０に対して、運行の日時やルートを示す配車指示情報を送信する。
【００２２】
サービサシステム２０は、各サービサに適したシステムで構成され（例えば、複数の端末とサーバとからなるシステム、サービサのスタッフが所持する携帯端末、スマートフォン、タブレット端末、パーソナルコンピュータ等）、各サービサの要望に基づくサービサ情報を、サーバ１０に送信する。サービサ情報は、例えば、サービサが小売店であれば、サービサの在庫を示す在庫情報、特売品の特売日やセール時間や品目や数量や価格や想定商圏を示す特売品情報、来店して欲しい客の人数や喫煙の有無、来店時に受けられるサービスのクーポンに関する店内空き情報等が含まれる。また、サービサ情報には、サービサ側から移動体４０の配車を依頼する配車依頼情報等も含まれる。
【００２３】
ユーザ端末３０は、各ユーザに適した機器で構成され（例えば、携帯端末、スマートフォン、タブレット端末、パーソナルコンピュータ、ゲーム機器、ネットワークに接続可能なテレビ、オーティオ機器、冷蔵庫等の情報家電等）、各ユーザの要望に基づくユーザ情報を、サーバ１０に送信する。ユーザ端末３０は、上記のような機器そのものであってもよいし、上記の複数の機器と家庭内等のローカルネットワークを介して、情報交信可能な制御機器であってもよい。ユーザ情報は、ユーザを特定するユーザＩＤや名前や住所やメールアドレス等の個人情報、ユーザが購入を希望する商品を示す購入希望情報、特定の日時に乗車地から目的地まで移動体４０の運行を依頼する配車依頼情報、配車依頼情報に基づく配車の予定を確定する予定確定情報、所定の期間において所定の時間に乗車地から目的地まで移動体４０の運行を依頼するユーザ定期配車依頼情報等が含まれる。
【００２４】
移動体４０は、自動運転に関する周知のシステムを備えた電気自動車であり、サーバ１０から受信した配車指示情報に示された日時において、配車指示情報に示されたルートを自動運転により運行する。また、移動体４０は、移動体の現在位置、目的地、移動体が決定した移動経路情報、電池残量を示す情報を含む移動体情報をサーバ１０に送信する。また、移動体４０は、電池残量が所定値以下となった場合、最寄りの充電ステーション９０で充電する。充電ステーション９０は、移動体４０が配車される地域において、例えば、所定範囲ごとに設けられ、複数台の移動体４０が同時に充電できる構成を備える。なお、充電ステーション９０は、例えば、移動体４０を利用するユーザの自宅や、サービサの店舗に、１台用として簡易的に設けてもよい。
【００２５】
このような交通システム１によれば、サービサ及びユーザの都合と目的に合わせた時間と場所に、自動運転する移動体４０を運行することで、移動体４０の利用料を低廉にできる交通システムを提供できる。
【００２６】
（移動体情報交換システム）
図３は、本発明の実施形態に係る移動体間情報交換システムが提供するサービスのイメージを示す図である。移動体間情報交換システム（以下、本システムと呼ぶ）とは、移動体間での情報交換を支援するサービスに特化した上記交通システム１のサブシステムであり、一又は複数のサーバ１０並びに複数のユーザ端末３０及び複数の移動体４０で構成される。なお、本システムにおいては、移動体すべてが自動走行可能な車両でなくともよく、一部に自動走行されない車両を含んでいてもよい。
【００２７】
図３（ａ）で示すように、本システムにおいては、あるユーザＡが利用する移動体４０Ａと、ユーザＡが友達として予め登録したユーザＢが利用する移動体４０Ｂとが、まもなく接近する（すれ違う）ことをサーバ１０が事前に判定すると、すれ違いが起こる可能性があることを示す「すれ違い情報」が移動体４０Ａ又はユーザ端末３０Ａ（図示せず）に通知される。ただし、ユーザＡは、このようなすれ違い通知を受け取ることを予め許諾しているものとする。ユーザＢも同様の許諾をしていれば、ユーザＢが利用している移動体４０Ｂ又はユーザ端末３０Ｂ（図示せず）にも同様なすれ違い通知がなされる。
【００２８】
各ユーザがユーザ端末３０を携帯していなければ、移動体４０は、後述するユーザ識別手段４６によって、ユーザを乗車時に識別しているので、すれ違い通知を移動体４０に備えられたディスプレイに表示可能である。また、ユーザがユーザ端末３０を携帯していれば、ユーザ端末３０と移動体４０が乗車時に近距離無線通信手段により自動交信することにより、ユーザを識別可能なので、すれ違い通知を移動体のディスプレイ又はユーザ端末３０、又はその両方に表示可能である。
【００２９】
すれ違い通知を受信すると、移動体４０に備えられた通信手段によって、ユーザは、音声又は文字情報でメッセージを相手の移動体に送信することができる。当然、このメッセージを受け取った移動体からも返信することができる。また、このメッセージ交換は、両者が出会うことが予測されている限り、両者の距離に依存することなく、いつでも（例えば前日でも）行うことができる。また、すれ違い通知を受けた移動体４０Ａ，４０Ｂが実際に所定の近距離内に接近すると、図３（ｂ）で示すように、移動体４０Ａ，４０Ｂの近距離無線通信手段及び車内の通話手段を用いて、ユーザ間で直接通話することも可能である。
【００３０】
図５は、移動体のすれ違いのイメージを示す図である。図示するように、移動体４０Ａは、移動経路５０Ｒを移動して目的地５０Ａに向かっているとする。また、移動体４０Ｂは、移動経路５０Ｓを移動して目的地５０Ｂに向かっているとする。このような場合、このままでは移動体４０Ａと移動体４０Ｂがすれ違うことはないが、仮に、移動体４０Ａが点線で示す５０Ｔに移動経路を変更（寄り道）すれば、移動体４０Ｂと×で示す地点５０Ｃですれ違うことができる。本システムは、このような出会い（すれ違い）を積極的に生成することができる。なお、すれ違いは移動中だけでなく、特定の場所で停止中又は待機中の場合、例えば充電ステーションで充電中の場合であっても発生する。
【００３１】
このようにすることで、移動体４０は、単に移動手段としてだけでなく、ユーザ間の外出時のコミュケーション手段として役立てることができる。また、ユーザが出会うまで時間的な余裕がある場合は、その間に、話す内容を考えたり、準備することもできるし、出会う地点で待ち合わせすることもできる。また、お互いが視認できない距離にいる間は、移動体４０のディスプレイ等でメッセージ交換し、お互いが視認できる程度まで接近したときは、音声により直接通話したりすることもできる。また、すれ違う予定地点や予定時刻がわかるので、ある移動体が備えるカメラで撮影した映像（動画又は静止画）をすれ違う別の移動体のディスプレイに表示させるような準備をすることも可能である。
【００３２】
図４は、本発明の実施形態における移動体情報交換システムの機能ブロックを示した図である。以下、各機能ブロックの構成について順に説明する。
【００３３】
（移動体管理サーバ１０の構成）
移動体管理サーバ１０（サーバ１０）は、ユーザ情報収集手段１１、すれ違い通知送信手段１２、移動体情報収集手段１３、すれ違い判定手段１４、移動体経路調整手段１５を備える。また、サーバ１０は、データベースとして、ユーザデータベース１０１（以下、ユーザＤＢ１０１）と、移動体データベース１０２（以下、移動体ＤＢ１０２）とを備える。
【００３４】
ユーザ情報収集手段１１は、ユーザ端末３０より、ユーザ側の情報であるユーザ情報（例えば、ユーザ自身の個人情報、配車依頼情報、関連ユーザ情報（友達、家族、同僚、知人等）を受信し、受信したユーザ情報をユーザ記憶手段としてのユーザＤＢ１０１に格納する。
【００３５】
図６は、このユーザＤＢ１０１に格納されるデータ構造の具体例を示したものである。ユーザＤＢ１０１は、ユーザを特定するユーザＩＤに、名前及び自宅住所を含む個人情報、移動体４０を配車依頼したときの配車依頼情報、当該ユーザとは異なる他のユーザを所定の目的地に運ぶことを依頼する勧誘情報、移動体４０の使用履歴を示す使用履歴情報（図示せず）が対応付けられている。また、配車依頼情報には、移動体４０の乗車地、使用する日時及び目的地を示す情報が含まれる。なお、ユーザＤＢ１０１の個人情報は、図示する例に限らず、例えば、ユーザの性別、年齢、趣向、趣味等のユーザに有用な情報を提供するために必要なプロフィール情報を格納することができる。
【００３６】
関連ユーザ情報には、すれ違う可能性のあるユーザごとに、そのユーザとの関係を示す情報と、そのユーザと実際にすれ違ったときに、すれ違い通知を受け取るか否かを示す情報とが登録される。関連ユーザ情報は、ユーザが個々に設定するようにしてもよいし、ユーザの許可の元、ユーザ端末３０に記憶された電話帳や友達リストから取得するようにしてもよい。ユーザＩＤは、氏名や電話番号等から検索ができるものとする。ユーザ間の関係には、友達、家族、同僚、知人などが設定可能であるが、あくまで登録するユーザの主観であるので、こちらが友達と思っていても、相手は単なる知人としか思っていないケースもある。
【００３７】
図４に戻り、すれ違い通知送信手段１２は、あるユーザが他のユーザとすれ違いの可能性があると判定したときに、その相手方のユーザＩＤを移動体４０の配車依頼情報等から特定し、その他のユーザ情報をユーザＤＢ１０１から取得し、すれ違い通知の内容を生成し、移動体４０又はユーザ端末３０に送信する役割を果たす。例えば、ユーザ間の関係が友達や家族であれば、タメ口のような親しみのあるメッセージを生成してもよいし、ユーザ間の関係が同僚や知人であれば、丁寧な通知メッセージを生成するようにしてもよい。このときのユーザ間の関係は、両ユーザが相手をどのように登録しているかによっても判定される。例えば、ユーザＡがユーザＢを友達と登録していても、ユーザＢがユーザＡを単なる知人として登録している場合は、砕けたメッセージではなく、それよりも丁寧なすれ違い通知メッセージを生成する。
【００３８】
移動体情報収集手段１３は、所定間隔（例えば、５分間）で、移動体４０より、移動体情報（移動体の現在位置、目的地、移動体が決定した移動経路情報、電池残量を示す情報を含む）を受信し、受信した移動体情報を移動体ＤＢ１０２に格納する。また、移動体情報収集手段１３は、移動体４０より、ユーザごとの移動体４０の使用履歴（乗車日時や目的地等）を示す使用履歴情報を受信し、ユーザＤＢ１０１に記憶する。
【００３９】
図７は、この移動体ＤＢ１０２に格納されるデータ構造の具体例を示したものである。移動体ＤＢ１０２には、移動体を特定する移動体ＩＤに、緯度及び経度で示される移動体の現在位置と目的地、目的地までの移動体が決定した移動経路情報、電池残量が対応付けられている。移動経路情報は、目的地までに通過する複数の交差点のＩＤで特定できる。移動体の移動予定経路は、移動体の配車時等にサーバ１０側で決定してもよいが、移動体が走行時に実際の交通状況に合わせて移動予定経路を変更してもよい。そのため、移動体から収集する実際の移動経路情報は、配車時等に決定した移動予定経路と異なることがある。移動体ＤＢ１０２は、図７に示す例では、充電中又は待機中の場合（移動中でないため目的地がない場合）、目的地の領域にその情報が格納されている。また、移動体ＤＢ１０２は、現在又は直近の電池残量や、移動体情報を受信した時点において、当該移動体を使用しているユーザのユーザＩＤやサービサのサービサＩＤを格納することができる。
【００４０】
図４に戻り、すれ違い判定手段１４は、予めサーバ１０で決定された移動体予定経路、又は移動体情報収集手段１３が収集した移動体が決定した実際の移動経路情報に基づいて、２以上の移動体が所定時間後に、所定距離内に接近し、出会う可能性（すれ違い可能性と呼ぶ）があるか否かを判定する。出会う可能性は、現在又は近い将来の移動体予定経路の情報に基づいて、同じ道路区間又は同じ交差点を同じ時間に通過するか否かで判定する。ここで「同じ道路区間又は同じ交差点」、「同じ時間」とは、道路上の地点の位置情報及びその地点を通過する時間情報が完全に一致している必要はなく、ある程度の幅を持った概念である。例えば、移動予定経路を両者が正確に予定どおり通過すれば出会うことはないが、所定幅の時間（例えば、数分〜１０分程度）内に、出会う可能性がある場合は、すれ違いが起こる（すれ違い可能性あり）と判定する。
【００４１】
また、すれ違い判定手段１４は、上記のすれ違い可能性ありと判定した移動体の組合せをすべて記憶し、それらの移動体を現在利用しているユーザ又は所定時間後（例えば明日）に利用する予定のユーザのユーザＤＢ１０１に格納された関連ユーザ情報を参照して、少なくともどちらかのユーザが「すれ違い通知」を希望している場合に、すれ違い通知送信手段１２を呼び出し、該当ユーザ間に通知するメッセージを生成させる。生成したメッセージは、双方のユーザが実際に移動体を利用した際に、当該ユーザが乗っている移動体４０に送信される。また、ユーザの希望により、実際に移動する前に、例えば移動の前日等に、すれ違い通知をユーザ端末３０に予め送信するようにしてもよい。この場合は、移動体は、まだ走行していないので、移動体が決定した移動経路情報でなく、サーバ１０が予め決定した移動予定経路に基づいて、すれ違いが起きるかどうかを判定する。
【００４２】
移動体経路調整手段１５は、双方のユーザが実際に移動体を利用した際に、各移動体が本当にすれ違いするかどうかを判定する。そして、すれ違いが所定の時間内で起こる場合には、移動体に乗っているユーザに対して、移動経路を多少変更するか、すれ違い予定地点で時間調整するかを選択させることができる。例えば、このまま予定通り移動するとすれ違いは起こらないが、目的地まで別のルートで移動すればすれ違いが起こる場合は、その別ルートを表示させることができる。
【００４３】
（ユーザ端末３０の構成）
ユーザ端末３０は、ユーザ端末送受信手段３１と、ユーザ端末制御手段３２と、ユーザ端末入出力手段３３と、近距離無線通信手段３４とを備える。
【００４４】
ユーザ端末制御手段３２は、サーバ１０から受信した外出を促す情報に基づく外出スケジュール画面、移動体予約画面、及びすれ違い通知画面等をユーザ端末入出力手段３３に表示する制御を行う。また、ユーザ端末制御手段３２は、ユーザ端末入出力手段３３におけるユーザの操作に基づき、サーバ１０から受信した外出スケジュール情報に基づく配車を承諾し、移動体４０の乗車地、使用日時及び目的地を示す情報を含む配車依頼情報を生成する。また、ユーザ端末制御手段３２は、ユーザ端末入出力手段３３におけるユーザの操作に基づき、サーバ１０から受信した移動体予約情報に示された移動体４０の乗車位置及び乗車時間で予約を確定することを示す予定確定情報を生成する。
【００４５】
ユーザ端末入出力手段３３は、ユーザ端末制御手段３２の制御により、ユーザの操作を受け付けるとともに、外出スケジュール画面、移動体予約画面、及びすれ違い通知画面等を表示する。本実施形態では、ユーザ端末入出力手段３３を、入力手段と出力手段とを兼ね備えたタッチパネルで構成することを想定しているが、これに限らず、例えば、ユーザ端末入力手段をリモコンや各種の操作ボタン等で構成し、ユーザ端末出力手段をディスプレイやスピーカで構成してもよい。
【００４６】
近距離無線通信手段３４は、ＩＥＥＥ８０２．１１ｂやＢｌｕｅｔｏｏｔｈ（登録商標）等のアドホックな無線通信手段、又はＷｉ−Ｆｉ（登録商標）(Wireless  Fidelity）等の所定距離内でのみ通信が可能な無線通信手段であり、ユーザ端末３０と移動体４０との近距離通信を可能にさせる。例えば、ユーザ端末３０から移動体４０に対して乗車するユーザを識別させたり、ユーザ端末３０で入力したデータを移動体４０に送信したりする手段として用いる。
【００４７】
（移動体４０の構成）
図８は、移動体４０の外観の一例を示す図である。図８（ａ）に示す移動体４０は、円筒形状のボディ４００の下側に４つの車輪が設けられ、ボディ４００の上側に４つのカメラ４０１及び各種センサやディスプレイを収容したトップ４０２と、を備える。また、ボディ４００には、前方側に前方側連結部４０３が形成され、後方側に後方側連結部４０４が形成されている。また、ボディ４００には、例えば、人が乗れる踏み台と人が掴めるハンドル等を設けて、移動体４０単独でも人を運べる形態としたり、籠やボックスを装着できる機構を設けたりして小型の荷物も運べる形態としてもよい。
【００４８】
移動体４０は、前方側連結部４０３及び後方側連結部４０４により、他の移動体４０や、客車５０及び荷台６０と連結される。図８（ｂ）は、移動体４０に客車５０が連結された形態の一例を示す図である。客車５０は、人が乗車可能に構成され、前方側に前方側連結部５０１が形成され、後方側に後方側連結部５０２が形成されている。客車５０は、前方側連結部５０１及び後方側連結部５０２により、他の客車５０や、移動体４０及び荷台６０と連結される。
【００４９】
図８（ｃ）は、移動体４０に荷台６０が連結された形態の一例を示す図である。荷台６０は、荷物が積載可能に構成され、前方側に前方側連結部６０１が形成され、後方側に後方側連結部６０２が形成されている。荷台６０は、前方側連結部６０１及び後方側連結部６０２により、他の荷台６０や、移動体４０及び客車５０と連結される。移動体４０には、客車５０のみでなく、更に荷台６０を、客車５０の後に連結することもできる。また、ユーザやサービサの要望に応じて、移動体４０には、客車５０を複数台連結したり、荷台６０を複数台連結したり、してもよい。なお、移動体４０、客車５０、荷台６０は上記の形態に限らず、一般的な乗用車や小型トラックのような形態であっても当然よい。
【００５０】
図４に戻り、移動体４０は、移動体送受信手段４１と、移動体制御手段４２と、移動体入力手段４３と、移動体出力手段４４と、近距離無線通信手段４５と、ユーザ識別手段４６とを備える。なお、図示は省略するが、移動体を電気で駆動する駆動手段を備える。
【００５１】
移動体送受信手段４１は、移動体制御手段４２の制御により、移動体情報（例えば、移動体の現在位置、目的地、移動経路、電池残量を示す情報）をサーバ１０に送信し、配車指示情報をサーバ１０から受信する。
【００５２】
移動体制御手段４２は、移動体送受信手段４１が受信した配車指示情報に基づき、図示を省略したが、駆動手段を制御して、移動体４０を運行させる。駆動手段は、移動体４０が電気で駆動するために必要な公知の構成（バッテリ、インバータ、モータ、ブレーキ等）を備える。また、駆動手段は、自動運転に必要な公知の構成として、ＧＰＳ（Global  Positioning  Systems）、移動体４０の周囲を検知するセンサ、ＧＰＳ及びセンサからの情報に基づき車輪を操舵するアクチュエータ等を備える。
【００５３】
移動体入力手段４３は、例えば、画像の入力を受け付けるカメラ４０１（図８（ａ）参照）や、音声を受け付けるマイクで構成される。例えば、移動体入力手段４３は、ユーザの顔の画像を撮影する。なお後述のユーザ識別手段４６は、この顔の画像から、公知の顔認識技術により、ユーザを特定することができる。
【００５４】
移動体出力手段４４は、例えば、トップ４０２（図８（ａ）参照）又は客車５０に収容されたディスプレイで構成され、移動体制御手段４２の制御により、乗車したユーザに関係する情報を示す画面を表示する。
【００５５】
近距離無線通信手段４５は、ユーザ端末３０の近距離無線通信手段３４又は他の移動体４０の近距離無線通信手段４５とデータを交信する機能を提供する。例えば、ユーザ端末３０から移動体４０に対する指示を受信したり、近接する移動体４０間で、お互いのユーザ情報等を交換するために用いられる。
【００５６】
ユーザ識別手段４６は、移動体４０に実際に乗降したユーザを識別するための手段であり、具体的には、ユーザが携帯したユーザ端末３０から識別情報を受信する方法、前述のカメラ４０１による顔画像を認識する方法、ユーザが携帯したＩＣカードを読み取る方法、ユーザの衣服等に埋め込まれたＩＣタグを読み取る方法、ユーザの指紋や掌を、乗降時に所定の機器にタッチさせることで読み取り、生体認証する方法等がある。上記のようなユーザ識別手段４６を移動体４０に備えることで、ユーザがユーザ端末３０を携帯していなくとも、移動体４０に乗り降りするユーザを識別可能となる。
【００５７】
上記の本システムの機能構成は、あくまで一例であり、一つの機能ブロック（データベース及び機能処理部）を分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  Only  Memory）、フラッシュメモリ、ＳＳＤ(Solid  State  Drive)、ハードディスク等の記憶装置に格納されたコンピュータ・プログラムを読み出し、ＣＰＵにより実行されたコンピュータ・プログラムによって実現される。すなわち、各機能処理部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００５８】
（移動体経路調整処理）
図９は、移動体管理サーバ１０（サーバ１０）が行う移動体経路調整処理の全体フローを示す図である。以下のフロー図では、説明を簡単にするため、サーバ１０と２台の移動体Ａ，Ｂの間の処理フローを説明するが、移動体が３台以上になっても基本的には同様である。
【００５９】
移動体Ａ，Ｂは、移動体情報（移動体の現在位置情報、目的地、目的地までの移動経路、電池残量、乗客のユーザＩＤ等を含む）を、所定の間隔でサーバ１０に送信している（ステップＳ１Ａ，Ｓ１Ｂ）。サーバ１０では、送信された移動体情報を収集し、移動体ＤＢ１０２に格納している（ステップＳ２）。そのとき、サーバ１０のすれ違い判定手段１４は、移動体Ａ，Ｂがすれ違いが起きる可能性があるかを所定時間ごとに監視している（ステップＳ３）。すれ違いの可能性があると判定すれば、ステップＳ４に移り、移動体Ａ，Ｂの乗客であるユーザＡ、ユーザＢのユーザＩＤを移動体情報から取得し、ユーザＤＢ１０１の関連ユーザ情報を参照して、少なくともユーザＡ，Ｂのいずれかが、すれ違い通知を受信希望に設定しているか否かを判定する（ステップＳ４）。
【００６０】
少なくとも一方のユーザがすれ違い通知を受信希望していれば、そのユーザ関係に適切なすれ違い通知メッセージをサーバ１０のすれ違い通知送信手段１２が生成し、当該ユーザの移動体Ａ、又はユーザ端末３０Ａ、又はその両方に、すれ違い通知を送信する（ステップＳ５）。以下では、すれ違い通知は移動体Ａにのみ通知されているものとし、ユーザＡは、すれ違い通知を希望しているが、ユーザＢは、すれ違い通知を希望していないものとする。
【００６１】
移動体Ａが、すれ違い通知を受信すると、その通知メッセージを移動体Ａに、すれ違い通知画面として表示する（ステップＳ６）。すれ違い通知画面については後述の図で具体的に説明する。このすれ違い通知画面を見たユーザＡは、すれ違いの相手がユーザＢであることを知るが、このとき、すれ違い通知画面には、このままの経路で走行を続けていれば、自然にすれ違いが起きるか、あるいは移動経路を多少調整すれば、すれ違いが起きるとの情報が表示されるので（ステップＳ７）、ユーザＡは、必要であれば、移動経路の調整を選択することがでユーザＢと出会うことができる（ステップＳ８）。ここで、移動経路の調整とは、目的地までの別ルートを選択するか、移動ルートはそのままで時間だけを調整する（一時停止して待つ、又は移動速度を調整する）ことを含む。
【００６２】
サーバ１０が、ユーザＡが移動経路調整をしたことを移動体Ａから受信すると（ステップＳ９）、その移動体情報を更新し、新たな移動体情報を収集するステップＳ２に戻る。また、移動体Ａでは、ユーザＡから移動体ＢのユーザＢにメッセージを直接送ることができ、送信するメッセージがあるか否か（ユーザＢと会話したいかどうか）をユーザＡに選択させる（ステップＳ１０）。この会話は、文字入力で行ってもよいし、移動体に備えられた通話手段によって、直接、ユーザＢと通話してもよい（ステップＳ１３）。移動体の会話状態が終了すると、各移動体の状態は、ステップＳ１Ａ，Ｓ１Ｂに戻る。
【００６３】
（すれ違い通知画面例）
図１０は、すれ違い通知画面の具体例（１）を示す図である。このすれ違い通知の画面７０１は、ユーザどうしが友達である場合の画面例である。今、ユーザＡ（ハナさん）のもとに、友達として登録されたユーザＢ（サクラさん）が接近していることが画面７０１で通知されている。この画面には、各ユーザの移動体Ａと移動体Ｂの現在地（○と●）、目的地（☆と★）、移動経路（点線）、すれ違い地点（×）が道路地図上にシンボルで表示される。
【００６４】
メッセージを送るかとの問いかけに、ハナさんが「はい」と答えると、メッセージ入力画面（図示せず）が表示され、メッセージを音声入力又はキー入力することができる。メッセージを入力すると、画面７０２のようなメッセージがサクラさんに送られる。このメッセージは、予め用意されたものの中からハナさんが選択するだけにしてもよい。画面７０２のメッセージを見たサクラさんは、メッセージに対して返信するか、直接ハナさんと通話するか、無視するかを選択することができる。無視するを選択した場合は、ハナさんには当たり障りのないメッセージが自動的に返信される。
【００６５】
図１１は、すれ違い通知画面の具体例（２）を示す図である。このすれ違い通知の画面７０３は、ユーザの一方が相手を友達であるとして登録しているが、相手方のユーザは、そのユーザを登録していないか、あるいは知人としてしか登録してない場合の画面例である。今、ユーザＡ（ハナさん）の元に、日頃から好意をいだくユーザＢ（ゲンさん）が接近していることが通知されているものとする。しかし、画面７０３で示すように。このままでは３分差ですれ違いが起きないことが表示されている。こういう場面では、画面７０３には、移動ルートを調整、目的地を変更、なにもしない、が表示され、ハナさんは、それらの中から選択することができる。
【００６６】
移動ルートを調整か目的地を変更を選択すると、図示は省略するが、ゲンさんとのすれ違いが起きるような移動ルートが自動的に表示される。今、ハナさんが目的地をゲンさんと同じ〇○スーパに変更したとすると、ハナさんの画面には、その旨のメッセージ、変更後の移動ルート、すれ違い地点が表示される。ゲンさんの画面７０４には、ハナさんからのメッセージ画面が表示される。このとき、ゲンさんは、図１０の場合と同じく、メッセージに対して返信するか、直接ハナさんと通話するか、無視するかを選択することができる。
【００６７】
図１２は、すれ違い通知画面の具体例（３）を示す図である。このすれ違い通知の画面７０１は、ユーザどうしが単なる同僚又は知人である場合の画面例である。今、ユーザＡ（ハナさん）の元に、町内会の役員の同僚であるユーザＢ（マミさん）が接近していることが通知されているものとする。しかし、ハナさんは、今、マミさんと出会うと、ついでに町内会の仕事を押しつけられそうな気がするので、できれば会いたくないと考えているとする。このような場面においては、図示するような画面７０５を表示することができる。どのような通知画面を表示するかは、サーバ１０のすれ違い通知送信手段１２がユーザ間の関係及び過去の移動履歴等から自動選択するようにしてもよいし、ユーザの選択にまかせてもよい。
【００６８】
画面７０５の例では、図１０、図１１と違って、移動ルートを「意図的に」変更することができる。すなわち、ハナさんは、意図的にマミさんとすれ違わない移動ルートに変更することができる。画面７０６は、この変更後のルートを表示したものである。ハナさんは、この変更後のルートでよければＯＫを押し、別ルートを表示を押して、さらに別のルートを探すこともできる。しかし、マミさんとの距離が近く、移動ルートをどう変更してもすれ違いが起きる危険性がある場合は、一定時間、現在地で留まってやり過ごしたり、目的地そのものを変更してもよい。
【００６９】
このように、図１０、１１、１２のようなユーザ間の関係による様々な場面に応じたすれ違い通知画面を、システム側が自動生成することで、ユーザ間の出会い（又は出会いを避ける）を積極的に演出することができる。
【００７０】
（実施形態の効果）
以上、本システムによれば、自動運転交通システムにおいて、移動体４０を利用するユーザ間のすれ違いを通して、情報交換手段や車内でのコミュニケーションの場を提供することができる。また、ユーザ間の関係による様々な場面に応じたすれ違い通知を、システム側が自動生成することで、ユーザ間の出会いをより積極的に演出することができる。また、前述のすれ違い判定手段１４は、ユーザ間の接近の可能性を、ユーザの移動体経路を調整することによっても起こり得ると判定するので、自然発生的なユーザの出会いはもちろん、意図的なユーザの出会いを生成することができる。また、移動体４０とユーザ端末３０は、近距離無線通信手段３４、４５により交信するので、すれ違い通知を、移動体４０又はユーザ端末３０のどちらか一方又は両方に表示できる。このことにより、ユーザ端末３０を携帯していないユーザであっても本システムが提供する情報交換サービスを手軽に利用できる。また、ユーザが移動体４０に乗降した際に、登録ユーザの識別を自動的に行うユーザ識別手段４６を移動体４０に備えることで、移動するユーザが実際にどの移動体に乗っているかを確実に把握することができる。
【００７１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。なお、上記の実施形態では、本発明を物の発明として移動体情報交換システムで説明したが、本発明は、方法の発明（移動体間情報交換の制御方法）又はコンピュータ・プログラムの発明（移動体間情報交換の制御プログラム）としても捉えることもできる。
【符号の説明】
【００７２】
１０  移動体管理サーバ
１１  ユーザ情報収集手段
１２  すれ違い通知送信手段
１３  移動体情報収集手段
１４  すれ違い判定手段
１５  移動体経路調整手段
２０  サービサシステム
３０，３０Ａ，３０Ｂ  ユーザ端末
３１  ユーザ端末送受信手段
３２  ユーザ端末制御手段
３３  ユーザ端末入出力手段
３４  近距離無線通信手段
４０，４０Ａ，４０Ｂ  移動体
４１  移動体送受信手段
４２  移動体制御手段
４３  移動体入力手段
４４  移動体出力手段
５０  客車
６０  荷台
９０  充電ステーション
１００  中央管理システム
１０１  ユーザデータベース（ユーザＤＢ）
１０２  移動体データベース（移動体ＤＢ）
４００  ボディ
４０１  カメラ
４０２  トップ
４０３  前方側連結部
４０４  後方側連結部
５０１  前方側連結部
５０２  後方側連結部
６０１  前方側連結部
６０２  後方側連結部
７０１，７０２，７０３，７０４，７０５，７０６  すれ違い通知画面
【図１】
2015179332.tif 000003
【図２】
2015179332.tif 000004
【図３】
2015179332.tif 000005
【図４】
2015179332.tif 000006
【図５】
2015179332.tif 000007
【図６】
2015179332.tif 000008
【図７】
2015179332.tif 000009
【図８】
2015179332.tif 000010
【図９】
2015179332.tif 000011
【図１０】
2015179332.tif 000012
【図１１】
2015179332.tif 000013
【図１２】
2015179332.tif 000014